(57)【要約】【課題】素足で履く超浅履きのフットカバーであっても、脱ぎ履き時に脱ぎ履きしやすく、かつ、歩行時にフットカバーが脱げてしまったり履き位置がずれてしまったりすることがない。【解決手段】このフットカバー１００は、足底部１０４、側辺部１０６、踵部１０８および足甲側の爪先を覆う爪先部１０２で形成され、足底部１０４に対して上下反対側に足Ｆを出し入れするための開口部１１８が設けられている。開口部１１８の周縁に沿って単一素材で構成された伸縮性細幅生地１１６が、その少なくとも一部に伸縮性が低く伸びにくい重合領域１１０を備えるように、設けられている。【選択図】図１
2019035159.tif 000002
【特許請求の範囲】
【請求項１】
爪先と踵を含む足底とを被覆するとともに足首を露出するフットカバーであって、足底部、側辺部、踵部および足甲側の爪先を覆う爪先部で形成され、前記足底部に対して上下反対側に足を出し入れするための開口部を設け、
前記開口部の周縁に沿って単一素材で構成された伸縮性細幅生地が設けられ、
前記伸縮性細幅生地は、その少なくとも一部に伸縮性が低く伸びにくい領域を備えることを特徴とする、フットカバー。
【発明の詳細な説明】
【技術分野】
【０００１】
本発明は、着用するとパンプス（履き口である甲部分が大きく開いている主として婦人用の靴）等の靴の内側に隠れるフットカバーに関し、特に、足甲部が大きく開いて少なくとも１つの足爪を覆い少なくとも１つの足指の付け根を覆わない超浅履きのフットカバーであっても歩行等の動作によっても脱げたり位置ずれすることが少ないフットカバーに関する。
【背景技術】
【０００２】
素足にパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にパンプスから露出することのないよう履き口が大きくカットされた薄手のフットカバーが提案されている。このフットカバーを着用してパンプスを履けば、外観上、素足にパンプスを履いているように見え、足裏とパンプスとの間にはフットカバーが介しているため、汗によって靴の中が蒸れてしまうことを防止することができる。
【０００３】
なお、このような足装着具を、本明細書ではフットカバーと記載するが、ソックスカバー、インナーソックス、ヌードソックス、カバーソックス等と記載される場合もある。
このようなフットカバーはパンプスから露出しないよう履き口が大きくカットされているため、歩行中の摩擦等によって履き位置がずれたり、脱げたりすすることがある。一方、履き口を小さくしてしまうとパンプスから露出してしまう。このような問題点に鑑みて開発されたフットカバーが、以下の先行技術文献に開示されている。
【０００４】
実用新案登録第３１６５７３３号公報（特許文献１）は、着用者の足に食い込まず、足に型が付いてしまったり、痛みを感じたり、不快感を与えたりしないフットカバーを開示する。このフットカバーは、着用者の足を覆う生地からなり、上側に足を出し入れするための開口部を有するフットカバーであって、開口部の周縁に沿って平ゴムを設けて一面が足に接するようにした帯状伸縮部を形成したことを特徴とする
【先行技術文献】
【特許文献】
【０００５】
【特許文献１】実用新案登録第３１６５７３３号公報
【発明の概要】
【発明が解決しようとする課題】
【０００６】
しかしながら、特許文献１に開示されたフットカバーに設けられた平ゴムでは、開口部の周縁の全体に亘って平ゴムを設けているため、フットカバーを履くときに開口部が十分に開かないで履きにくい場合があったり、これを解決するために開口部が十分に開くように平ゴムの伸縮性を大きくして伸びやすくすると歩行等の動作によってフットカバーが脱げたり位置ずれしたりする問題がある。
【０００７】
特に、特許文献１に開示されたフットカバーのように、開口部の周縁の全体に亘って平ゴム等で帯状伸縮部を設けた場合、その全体が均一的に伸び縮みしてしまうので、上述した２つの相反する問題、（１）平ゴムの伸縮性が小さく（低く）伸びにくいためにフットカバーを履くときに開口部が十分に開かないで履きにくい問題、（２）平ゴムの伸縮性が大きく（高く）伸びやすいために歩行等の動作によってフットカバーが脱げたり位置ずれしたりする問題、を同時に解決することは、少なくとも１つの足爪を覆い少なくとも１つの足指の付け根を覆わないような超浅履きのフットカバーでは極めて困難である。
【０００８】
本発明は、従来技術の上述の問題点に鑑みて開発されたものであり、その目的とするところは、脱ぎ履き時に脱ぎ履きしやすいにも関わらず、歩行時に脱げてしまったり履き位置がずれてしまったりすることを抑制することのできるフットカバーを提供することを目的とする。
【課題を解決するための手段】
【０００９】
上記目的を達成するため、本発明に係るフットカバーは以下の技術的手段を講じている。
すなわち、本発明に係るフットカバーは、爪先と踵を含む足底とを被覆するとともに足首を露出するフットカバーであって、足底部、側辺部、踵部および足甲側の爪先を覆う爪先部で形成され、前記足底部に対して上下反対側に足を出し入れするための開口部を設け、前記開口部の周縁に沿って単一素材で構成された伸縮性細幅生地が設けられ、前記伸縮性細幅生地は、その少なくとも一部に伸縮性が低く伸びにくい領域を備える。
【００１０】
好ましくは、前記領域は、前記伸縮性細幅生地を重ね合わせて接合した領域であって、前記伸縮性細幅生地の上下方向の位置を揃え、かつ、前記重ね合わせられる伸縮性細幅生地が略平行であるように構成することができる。
さらに好ましくは、前記フットカバーは、第１の伸縮性編地と第２の伸縮性編地と第３の伸縮性編地とが接合されて形成され、前記第１の伸縮性編地は、前側の側辺部と前記爪先部と爪先側の開口部とを構成し、前記第２の伸縮性編地は、前記足底部を構成し、前記第３の伸縮性編地は、後側の側辺部と前記踵部と踵側の開口部とを構成し、前記爪先側の開口部の周縁に設けられた伸縮性細幅生地と前記踵側の開口部の周縁に設けられた伸縮性細幅生地とが前記第１の伸縮性編地と前記第３の伸縮性編地との境界近傍で重なるように接合されることにより形成された前記領域を備えた前記第１の伸縮性編地および前記第３の伸縮性編地が、前記第２の伸縮性編地に、接合されているように構成することができる。
【００１１】
さらに好ましくは、前記領域において伸縮性細幅生地を重ね合わせる足長方向の長さは、前記フットカバーの側面視における前記伸縮性細幅生地の高さ方向の幅以上であるように構成することができる。
さらに好ましくは、前記爪先部は、少なくとも１つの足爪を覆い少なくとも１つの足指の付け根を覆わないように構成することができる。
【発明の効果】
【００１２】
本発明のフットカバーによれば、脱ぎ履き時に脱ぎ履きしやすいにも関わらず、歩行時に脱げてしまったり履き位置がずれてしまったりすることを抑制することができる。
【図面の簡単な説明】
【００１３】
【図１】本発明の実施の形態に係るフットカバーの全体斜視図である。
【図２】図１のフットカバーを裏返した状態における、（Ａ）小指側の側面図、（Ｂ）親指側の側面図、（Ｃ）（Ａ）を一部拡大した図である。
【発明を実施するための形態】
【００１４】
以下、本発明の実施の形態に係るフットカバー１００を、図面に基づき詳しく説明する。図１は、本実施の形態に係るフットカバー１００を足Ｆに着用した着用状態を示す全体斜視図であって、図２（Ａ）は図１に示すフットカバー１００を裏返した状態における小指側の側面図、図２（Ｂ）はその親指側の側面図、図２（Ｃ）は図２（Ａ）の一部拡大図である。ここで、図１および図２は、着用者の足Ｆにこのフットカバー１００を着用している状態を想定している。すなわち、本実施の形態に係るフットカバー１００は、パンティストッキング等に用いられる薄手の伸縮性編地で形成されているために、このように想定して図示しない場合には縮んだ状態となり、形状を理解することが困難なため、上述のように想定している。特に、図２においては、このフットカバー１００の特徴を容易に理解できるように、実際に着用している状態よりも足底部１０４がよく見えるように描かれている。
【００１５】
以下において、これらの図に基づいてこのフットカバー１００について詳しく説明する。ここで、フットカバーの構造には様々なものがあり、本発明は特定の構造に限定されるものではなく、後述する特徴を備えたものであれば、どのようなフットカバーの構造であっても、フットカバーを構成する生地の種類、生地の型紙およびその生地の接合方法がどのようなものであっても基本的には構わない。なお、このフットカバー１００においては、生地として編地を採用している。以下に示すフットカバーの構造自体は単なる例示でしかない。
【００１６】
なお、このフットカバー１００を形成する生地は、ベア天（ベア天竺：ポリウレタン糸を軸にして他の素材の糸（綿、ウール等）を巻きつけた糸（カバード・ヤーン等）を用いて編んだ平編みの生地）、トリコット（経編み機の一種であるトリコット機で編んだ経編みの生地）、パンティストッキング用の生地（ポリウレタン糸とナイロン糸とを含む編地）等が好ましく用いられる。特に、これらの中でもベア天は、（１）伸縮性にすぐれている点、（２）形状安定性がよく洗濯後の形状変化が少ない点、（３）風合いが柔らかくフィット感にすぐれている点、（４）シワや折り目がつきにくい点、（５）多孔性の構造なので通気性がある点、（６）綿を含む場合には肌触りおよび吸湿性がよい点、でフットカバーに好ましい。
【００１７】
さらに、本実施の形態に係るフットカバー１００は、爪先と踵を含む足底とを被覆するとともに足首を露出する。ここで、フットカバー１００を着用した場合において足甲は露出しても露出しなくてもどちらでも構わないが、フットカバー１００を着用してパンプス（履き口である甲部分が大きく開いている主として婦人用の靴）を履く場合には足甲は露出してパンプスにフットカバー１００が隠れることが好ましい。さらに、本発明に係るフットカバー１００は、このように足甲を露出することに加えて、足甲側の爪先を覆う爪先部１０２が少なくとも１つの足爪を覆い少なくとも１つの足指の付け根を覆わないほどの超浅履きタイプであることも好ましく、このような超浅履きタイプであると履き口である甲部分が極めて大きく開いているパンプスであってもパンプスにフットカバー１００が隠れる点で好ましい。
【００１８】
このフットカバー１００は、足底部１０４、側辺部１０６（より詳しくは前側の側辺部１０６Ａおよび後側の側辺部１０６Ｂ）、踵部１０８および足甲側の爪先を覆う爪先部１０２で形成され、足底部１０４に対して上下反対側に足Ｆを出し入れするための開口部１１８（より詳しくは（第１の伸縮性編地１２０により構成される）爪先側の開口部１１８Ａおよび（第３の伸縮性編地１３０により構成される）踵側の開口部１１８Ｂ）が設けられている。
【００１９】
また、限定されるものではないが、以下に示すフットカバー１００は左右共用であって、左右共用であるために左右を履き間違いすることがない点で好ましい。なお、フットカバーが左右共用でない場合には、左足用と右足用とは左右対称の形状を備える。上述したようにこのフットカバー１００を足Ｆに着用してスニーカー（男女の性別を問わないいわゆる運動靴）やパンプス（履き口である甲部分が大きくまたは極めて大きく開いている主として婦人用の靴）等の靴を履くと、靴の内側に隠れて靴からフットカバー１００が露出しないのでフットカバー１００が見えなくなる。ここで、着用時に靴から露出することのないとは、フットカバー１００が靴に隠れて、見えなくなることも、見えにくくなることも含む。
【００２０】
そして、特徴的であるのは、このフットカバーは１００は、開口部１１８の周縁に沿って単一素材で構成された伸縮性細幅生地１１６（より詳しくは前側の伸縮性細幅生地１１６Ａおよび後側の伸縮性細幅生地１１６Ｂ）が設けられている。さらに、この伸縮性細幅生地１１６は、その少なくとも一部に伸縮性が低く伸びにくい領域（より詳しくは後述する重合領域１１０）を備える。なお、開口部１１８の周縁に沿って単一素材で構成された伸縮性細幅生地１１６とは、素材が単一であることを示すものであって、部材として１つであることに限定されるものではなく１つ以上の部材で伸縮性細幅生地１１６が構成されていれば構わない。
【００２１】
伸縮性が低く伸びにくい領域については、詳しくは後述するように、同じ素材で同じ寸法（ここでいう同じ寸法とは足長方向の長さ（図２（Ｃ）に示すＬ）ではなくこのフットカバー１００の側面視における伸縮性細幅生地１１６の高さ方向（短手方向）の幅（図２（Ｃ）に示すＨ）またはフットカバー１００に設ける前の伸縮性細幅生地１１６の短手方向の長さ）が略同じであることを意味する）である前側の伸縮性細幅生地１１６Ａと後側の伸縮性細幅生地１１６Ｂとの２つの部材により伸縮性細幅生地１１６が構成され、重合領域１１０において前側の伸縮性細幅生地１１６Ａと後側の伸縮性細幅生地１１６Ｂとが重なり合うことにより、伸縮性細幅生地１１６の少なくとも一部に、伸縮性が低く伸びに
くい領域（重合領域１１０）を実現している。
【００２２】
しかしながら、本発明に係るフットカバー１００における伸縮性細幅生地１１６の少なくとも一部が備える伸縮性が低く伸びにくい領域は、このような伸縮性細幅生地１１６の重合せにより実現されるものに限定されるものではない。たとえば、伸縮性細幅生地１１６を伸縮性編地（第１の伸縮性編地１２０または第３の伸縮性編地１３０）に伸縮性細幅生地１１６を（重なり合うことなく）貼り付けて、その貼り付けた一部を伸縮性編地に縫合した場合であっても（伸縮性細幅生地よりも伸縮性が高く伸びやすい縫合糸は一般的ではないので）伸縮性細幅生地を伸縮性生地に縫合したことにより伸縮性細幅生地の一部に伸びにくい領域を実現することができる。
【００２３】
なお、前側の伸縮性細幅生地１１６Ａ（以下において前側伸縮性細幅生地１１６Ａと記載する場合がある）は第１の伸縮性編地１２０により構成される爪先側の開口部１１８Ａ（以下において爪先側開口部１１８Ａと記載する場合がある）に設けられ、後側の伸縮性細幅生地１１６Ｂ（以下において後側伸縮性細幅生地１１６Ｂと記載する場合がある）は第３の伸縮性編地１３０により構成される踵側の開口部１１８Ｂ（以下において踵側開口部１１８Ｂと記載する場合がある）に設けられている。
【００２４】
ここで、開口部１１８については、このフットカバー１００は（パンプスに好適な）浅履き用または超浅履き用であるために大きな開口面積になっていて足甲を（全く）覆わない。しかしながら、上述した特徴を備えた本発明に係るフットカバーはこのような浅履き用および超浅履き用に限定されるものではない。たとえば爪先側開口部１１８Ａを足甲側へ伸ばして足甲を覆うように変更した第１の伸縮性編地１２０とすることにより、爪先側開口部１１８Ａを後側（踵側）へ後退させて開口部１１８の開口面積を縮小することができる。このように第１の伸縮性編地１２０を変更することにより、本発明の特徴を備えたまま深履き用の（パンプスを履いても隠れないがスニーカーを履くと隠れる）フットカバー１００を実現することが可能である。なお、この場合には、前側の側辺部１０６Ａは足甲および足側方を覆うことになる。
【００２５】
そして、好ましくは、このフットカバー１００における重合領域１１０は、前側伸縮性細幅生地１１６Ａと後側伸縮性細幅生地１１６Ｂとを重ね合わせて接合した領域である。詳しくは、前側伸縮性細幅生地１１６Ａと後側伸縮性細幅生地１１６Ｂとで伸縮性細幅生地の上下方向の位置を揃え、かつ、重ね合わせられる前側伸縮性細幅生地１１６Ａと後側伸縮性細幅生地１１６Ｂとが略平行である。なお、図１および図２において示すように、前側伸縮性細幅生地１１６Ａと後側伸縮性細幅生地１１６Ｂとで伸縮性細幅生地の上下方向の位置をずれ量Ｇ分だけ（図２（Ｃ）参照）ずらして表されているが、このような場合であっても、図２（Ｃ）に示すＨにより示される重なり部分が大きいために伸縮性が低く伸びにくい領域を伸縮性細幅生地に実現できているので、伸縮性細幅生地の上下方向の位置を揃えていることを意味する。すなわち、前側伸縮性細幅生地１１６Ａと後側伸縮性細幅生地１１６Ｂとが多少ずれていても、図２（Ｃ）に示すＨにより示される重なり部分が大きいために伸縮性が低く伸びにくい領域を伸縮性細幅生地に実現できていれば、前側伸縮性細幅生地１１６Ａと後側伸縮性細幅生地１１６Ｂとで伸縮性細幅生地の上下方向の位置を揃えていることを満足するものとする。なお、デザイン的には、前側伸縮性細幅生地１１６Ａと後側伸縮性細幅生地１１６Ｂとで伸縮性細幅生地の上下方向の位置をズレ量なく揃えることが好ましい。
【００２６】
さらに好ましくは、このフットカバー１００は、第１の伸縮性編地１２０と第２の伸縮性編地１２２と第３の伸縮性編地１３０とが接合されて形成されている。この第１の伸縮性編地１２０は、前側の側辺部１０６Ａ（以下において前側側辺部１０６Ａと記載する場合がある）爪先部１０２と爪先側開口部１１８Ａとを構成する。この第２の伸縮性編地１２２は、足底部１０４を構成する。この第３の伸縮性編地１３０は、後側の側辺部１０６Ｂ（以下において後側側辺部１０６Ｂと記載する場合がある）と踵部１０８と踵側開口部１１８Ｂとを構成する。そして、上述した重合領域１１０は、爪先側開口部１１８Ａの周縁に設けられた前側伸縮性細幅生地１１６Ａと踵側開口部１１８Ｂの周縁に設けられた後側伸縮性細幅生地１１６Ｂとが第１の伸縮性編地１２０と第３の伸縮性編地１３０との境
界近傍で重なるように接合されることにより形成されている。このように形成された重合領域１１０を備えた第１の伸縮性編地１２０および第３の伸縮性編地１３０が、足底形状を備えた第２の伸縮性編地１２０に、接合されている。なお、重合領域１１０においては、限定されるものではなく逆でも構わないが、このフットカバー１００においては、外側（足Ｆが接する側とは逆側：靴側）が第１の伸縮性編地１２０、内側（足Ｆが接する側：肌側）が第３の伸縮性編地１３０になるように重ね合わせられている。
【００２７】
ここで、接合については、接着テープによる接着、接着剤による接着、縫合糸による縫着、その他の接合方法のいずれであっても構わない。すなわち、前側伸縮性細幅生地１１６Ａと後側伸縮性細幅生地１１６Ｂとの重なり領域である重合領域１１０においても、第１の伸縮性編地１２０と第３の伸縮性編地１３０とを接合する場合においても、第１の伸縮性編地１２０および第３の伸縮性編地１３０を足底部１０４を構成する第２の伸縮性編地１２０に接合する場合においても、いずれの接合方法であっても構わない。
【００２８】
なお、本実施の形態に係るフットカバー１００においては、接合方法として縫合糸による縫着を採用している。ここで、重合領域１１０において、前側伸縮性細幅生地１１６Ａと後側伸縮性細幅生地１１６Ｂとを重ねて接合しているために（伸縮性細幅生地の伸縮度合いが二重分になるために）、重合領域１１０は重合により伸びにくい領域になっている。さらに、このように接合するための縫合糸は伸縮性細幅生地１１６よりも伸縮性が低く伸びにくいことが一般的であるために、重合領域１１０は縫合により伸びにくい領域となっている。このことは、他の接合方法（接着テープによる接着、接着剤による接着）であっても同じである。
【００２９】
このように、このフットカバー１００は、重合領域１１０を備えるように、前側伸縮性細幅生地１１６Ａと後側伸縮性細幅生地１１６Ｂとを重ねて縫合して、第１の伸縮性編地１２０と第３の伸縮性編地１３０とを一体化してから、これらの一体化された第１の伸縮性編地１２０および第３の伸縮性編地１３０を第２の伸縮性編地１２２の全周縁と足底縫合線１１４で縫合することにより、立体的な形状に形成されている。
【００３０】
さらに好ましくは、このフットカバー１００における重合領域１１０において伸縮性細幅生地１１６を重ね合わせる足長方向の長さ（図２（Ｃ）に示すＬ）は、このフットカバー１００の側面視における伸縮性細幅生地１１６の高さ方向（短手方向）の幅（図２（Ｃ）に示すＨ）よりも長い（Ｌ≧Ｈ）。なお、このような重合領域１１０における伸縮性細幅生地１１６の重なり度合いについては、基本的には図２（Ｃ）に示すようにＬ≧Ｈであるが、伸縮性細幅生地１１６の伸縮性によってはＬ≧Ｈ／２であっても構わないし、Ｌの上限として２Ｈとすることも好ましい。すなわち、伸縮性細幅生地１１６を重ね合わせる足長方向の長さＬについては、Ｈ／２≦Ｌ≦２Ｈが好ましく、特にＨ≦Ｌ≦２Ｈが好ましく、さらにはＬ≒Ｈが（デザイン的に）好ましい。
【００３１】
このような特徴を備えたフットカバー１００の詳細についてさらに詳しく説明する。
上述したように、足底部１０４に対して上下反対側に足を出し入れするために設けられた開口部１１８の上縁の全周に亘って伸縮性細幅生地１１６がその少なくとも一部に伸縮性が低く伸びにくい重合領域１１０を備えるように設けられている。このフットカバー１００においては、前側伸縮性細幅生地１１６Ａを第１の伸縮性編地１２０の爪先側開口部１１８Ａの部分に、後側伸縮性細幅生地１１６Ｂを第３の伸縮性編地１３０の踵側開口部１１８Ｂの部分に、それぞれ（重なり合うことなく）貼り付けている。そして、第１の伸縮性編地１２０と第３の伸縮性編地１３０とを側部縫合線１１２で縫合する際に前側伸縮性細幅生地１１６Ａと後側伸縮性細幅生地１１６Ｂとを重ね合わせた重合領域１１０を形成している。
【００３２】
このように開口部１１８の上縁の全周に亘って伸縮性細幅生地１１６を設けるだけではなく、伸縮性細幅生地１１６がその少なくとも一部に伸縮性が低く伸びにくい重合領域１１０を備えているので、このフットカバー１００を履くときに伸縮性細幅生地１１６を伸張させると開口部１１８が大きく開くために履きやすく、かつ、このフットカバー１００を履いた後は伸縮性細幅生地１１６を収縮して開口部１１８が小さくなるために歩行時にフットカバー１００が脱げることがない。すなわち、このフットカバー１００においては
、従来のフットカバーと同じく開口部１１８の上縁の全周に亘って伸縮性細幅生地１１６設けられたもののその全体が均一的に伸び縮みするのではなく、図２（Ｃ）にの（白塗り矢示より短い）黒塗り矢示で示すように重合領域１１０は他の領域よりも伸び縮みしにくく、（黒塗り矢示より長い）白塗り矢示で示すように他の領域は重合領域１１０よりも伸び縮みしやすいという、フットカバー１１０の側方に部分的に伸び縮みしにくい重合領域１１０を備える。このフットカバー１００を履くときには重合領域１１０以外の（伸縮性細幅生地１１６の大部分を占める）伸縮性細幅生地１１６が大きくかつ容易に伸張させることができるので開口部１１８が大きく開くために履きやすく、かつ、このフットカバー１００を履いた後は（領域としては小さいものの）重合領域１１０の伸縮性細幅生地１１６が容易には伸張させることができないので開口部１１８の側方（足の側方）において足をしっかりと締め付けるために歩行時にフットカバー１００がずれたり脱げたりすることがない。
【００３３】
このように、このフットカバー１００によると、本発明が解決しようとする課題である、２つの相反する問題、（１）平ゴムの伸縮性が小さく（低く）伸びにくいためにフットカバーを履くときに開口部が十分に開かないで履きにくい問題、（２）平ゴムの伸縮性が大きく（高く）伸びやすいために歩行等の動作によってフットカバーが脱げたり位置ずれしたりする問題を、少なくとも１つの足爪を覆い少なくとも１つの足指の付け根を覆わないような超浅履きのフットカバーであっても同時に解決することができる。
【００３４】
なお、本実施の形態に係るフットカバー１００においては、この開口部１１８の上縁の全周に亘ってフットカバー１００の内側のみ（足Ｆが接する側：肌側）に伸縮性細幅生地１１６を設けている。さらに、この開口部１１８の上縁の全周に亘ってフットカバー１００の外側（足Ｆが接する側とは逆側：靴側）のみ、または、外側および内側に伸縮性細幅生地１１６を設けるようにしても構わない。
【００３５】
ここで、このように外側および内側に伸縮性細幅生地１１６を設ける場合においては、限定されるものではないが、（たとえば本願出願人により出願され公開された特開２０１４−１３３９５２号公報に記載されたように）伸縮性細幅生地１１６を折り返して折り返した線が開口部１１８の上縁に略一致するように設けるようにしても構わない。その結果、伸縮性細幅生地１１６の幅の略半分がフットカバー１００の内側（足Ｆが接する側である内側：肌当接面側）に、伸縮性細幅生地１１６の幅のもう一方の略半分がフットカバー１００の外側（足Ｆが接する逆側である外側：肌当接面の反対面）に、跨がって伸縮性細幅生地１１６が設けられている。この場合においては、フットカバー１００の側面視における伸縮性細幅生地１１６の高さ方向の幅（図２（Ｃ）に示すＨ）は、伸縮性細幅生地１１６の略１／２となる。この場合においても、伸縮性細幅生地１１６を重ね合わせる足長方向の長さ（図２（Ｃ）に示すＬ）は、このフットカバー１００の側面視における伸縮性細幅生地１１６の高さ方向の幅（図２（Ｃ）に示すＨ＝伸縮性細幅生地１１６の略１／２）よりも長い（Ｌ≧Ｈ）という条件を満足することはいうまでもない。
【００３６】
さらに、このフットカバー１００の踵部１０８の上縁におけるフットカバー１００の内側（足Ｆが接する側：肌側）には、線状のシリコーン樹脂等やシリコーン樹脂等の薄い透明のシートで形成された踵部滑り止め１５０を設けることも好ましい。このフットカバーにおいてはシートではなく、波型かつ線状の３つのシリコーン樹脂を設けている。そして、この踵部滑り止め１５０が設けられる部分においては、伸縮性細幅生地１１６（より詳しくは踵側伸縮性細幅生地１１６Ｂ）について、フットカバー１００の側面視における高さ方向（図２（Ｃ）に示すＨに平行な方向）の幅が他の部分よりも大きくなっている。このようにフットカバー１００の踵部１０８において伸縮性細幅生地１１６の幅を太くして踵部滑り止め１５０を設けたことにより、足Ｆの踵との密着性を高めてフットカバー１００が足Ｆの踵の部分からずれることをさらに防止することができる。なお、このような踵部１０８の構成は、本発明に係るフットカバーにおいて必須の構成ではない。
【００３７】
さらに、限定されるものではないが、このフットカバー１００においては、フットカバー１００の着用時に発生する汗を吸湿するように、足底部１０４を構成する第２の伸縮性編地１２２が吸湿性を備えるようにすることも好ましい。たとえば、第２の伸縮性編地１
２２として、第１の伸縮性編地１２０および／または第３の伸縮性編地１３０よりも吸湿性が大きく汗を吸いやすい生地を採用する。これにより、足底部１０４の領域全体が吸湿性を備えることができる。なお、このような吸湿性を備える領域を足底全体ではなく足底の一部に設けるようにしても構わない。
【００３８】
さらに、足底部１０４において、足Ｆが接する側と反対側（靴の一例であるパンプスを履いたときにパンプスの内底に接する側）には、シリコーン樹脂等の薄いシートで形成された足底部滑り止めを設けることも好ましい。これにより、パンプスの内底との密着性を高めてパンプス内におけるフットカバー１００の位置がずれることを防止できる。なお、この足底部滑り止めも、本発明に係るフットカバーにおいて必須の構成ではない。
【００３９】
なお、このフットカバー１００において、このフットカバー１００を形成する、第１の伸縮性編地１２０、第２の伸縮性編地１２２および第３の伸縮性編地１３０と、伸縮性細幅生地１１６とが同じ共生地で形成されていても構わない。すなわち、このフットカバー１００は、編地に関して全て同じ伸縮性編地（トリコット等）で形成されていても構わない。なお、このフットカバー１００において、伸縮性細幅生地１１６は伸縮性編地に（より詳しくは、前側伸縮性細幅生地１１６Ａは第１の伸縮性編地１２０に、後側伸縮性細幅生地１１６Ｂは第３の伸縮性編地１３０に）、熱プレス装置により加熱することにより伸縮性細幅生地１１６に塗布された接着剤が溶融して伸縮性編地と熱接着して接合されている。
【００４０】
また、フットカバー１００において、このフットカバー１００を形成する第１の伸縮性編地１２０と第２の伸縮性編地１２２と第３の伸縮性編地１３０とが同じ生地でなく形成されていても構わないし（３つとも違う編地か２つは同じ編地）、第１の伸縮性編地１２０と第２の伸縮性編地１２２と第３の伸縮性編地１３０と伸縮性細幅生地１１６とが同じ生地でなく形成されていても構わない（４つとも違う編地か少なくとも２つは同じ編地）。
【００４１】
以上のようにして、本実施の形態に係るフットカバー１００によると、開口部１１８の周縁に沿って単一素材で構成された伸縮性細幅生地１１６（前側伸縮性細幅生地１１６Ａおよび後側伸縮性細幅生地１１６Ｂ）が設けられ、この伸縮性細幅生地１１６は、その少なくとも一部に伸縮性が低く伸びにくい領域（前側伸縮性細幅生地１１６Ａと後側伸縮性細幅生地１１６Ｂとを重ね合わせて縫合した重合領域１１０）を備える。このように開口部１１８の上縁の全周に亘って伸縮性細幅生地１１６を設けるだけではなく、伸縮性細幅生地１１６がその少なくとも一部に伸縮性が低く伸びにくい重合領域１１０を備えているので、このフットカバー１００を履くときに伸縮性細幅生地１１６を伸張させると開口部１１８が大きく開くために履きやすく、かつ、このフットカバー１００を履いた後は伸縮性細幅生地１１６を収縮して開口部１１８が小さくなるために歩行時にフットカバー１００が脱げることがない。このため、少なくとも１つの足爪を覆い少なくとも１つの足指の付け根を覆わないような超浅履きのフットカバーであっても、（１）開口部の伸縮性が小さく（低く）伸びにくいためにフットカバーを履くときに開口部が十分に開かないで履きにくい問題、（２）開口部の伸縮性が大きく（高く）伸びやすいために歩行等の動作によってフットカバーが脱げたり位置ずれしたりする問題、を同時に解決することができる。
【００４２】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４３】
本発明は、素足で履くフットカバーに好適であり、脱ぎ履き時に脱ぎ履きしやすく、かつ、歩行時にフットカバーが脱げてしまったり履き位置がずれてしまったりすることがない点で特に好ましい。
【符号の説明】
【００４４】
１００  フットカバー
１０２  （足甲側の爪先を覆う）爪先部
１０４  足底部
１０６  側辺部
１０６Ａ  前側の側辺部
１０６Ｂ  後側の側辺部
１０８  踵部
１１０  重合領域
１１２  側部縫合線
１１４  足底縫合線
１１６  伸縮性細幅生地
１１６Ａ  前側の伸縮性細幅生地
１１６Ｂ  後側の伸縮性細幅生地
１１８  開口部
１１８Ａ  （第１の伸縮性編地１２０により構成される）爪先側の開口部
１１８Ｂ  （第３の伸縮性編地１３０により構成される）踵側の開口部
１２０  第１の伸縮性編地（前側の側辺部１０６Ａ、爪先部１０２、爪先側の開口部１１８Ａ）
１２２  第２の伸縮性編地（足底部１０４）
１３０  第３の伸縮性編地（後側の側辺部１０６Ｂ、踵部１０８、踵側の開口部１１８Ｂ）
１５０  踵部滑り止め
Ｆ  足
【図１】
2019035159.tif 000003
【図２】
2019035159.tif 000004